(57)【要約】【課題】アレイ光源を用いる場合に、高い効率で光を射出することが可能な光源装置、その光源装置を用いるプロジェクタを提供すること。【解決手段】光源装置１０は、湾曲した形状の湾曲面１１ａに沿って略等間隔で配列されて光を射出する複数の発光部１２と、発光部から射出された光を共振させるために、発光部から射出された光を反射する複数の凹面反射部１５ｂが複数の発光部に対応して形成された共振器１５と、を有し、発光部の配列方向において隣接する凹面反射部同士の間隔のうち少なくとも１の間隔が他の凹面反射部同士の間隔と異なる。【選択図】図１
2010067465.tif 000002
【特許請求の範囲】
【請求項１】
湾曲した形状の湾曲面に沿って略等間隔で配列されて光を射出する複数の発光部と、
前記発光部から射出された光を共振させるために、前記発光部から射出された光を反射する複数の凹面反射部が前記複数の発光部に対応して形成された共振器と、を有し、
前記発光部の配列方向において隣接する前記凹面反射部同士の間隔のうち少なくとも１の間隔が他の前記凹面反射部同士の間隔と異なることを特徴とする光源装置。
【請求項２】
前記湾曲面は、前記共振器側に向けられた凹面であって、
前記凹面反射部同士の間隔は、前記凹面反射部が形成された領域であって前記発光部の配列方向における中心から離れるにしたがって小さくなることを特徴とする請求項１に記載の光源装置。
【請求項３】
前記湾曲面は、前記共振器側に向けられた凸面であって、
前記凹面反射部同士の間隔は、前記凹面反射部が形成された領域であって前記発光部の配列方向における中心から離れるにしたがって大きくなることを特徴とする請求項１に記載の光源装置。
【請求項４】
前記発光部とそれに対応する前記凹面反射部との距離に応じて前記凹面反射部の曲率が異なることを特徴とする請求項１から請求項３のうちいずれか１項に記載の光源装置。
【請求項５】
単一の半導体素子基板で構成されたアレイ光源をさらに有し、
前記複数の発光部は、前記アレイ光源に形成されていることを特徴とする請求項１から請求項４のうちいずれか１項に記載の光源装置。
【請求項６】
請求項１から請求項５のうちいずれか１項に記載の光源装置を有し、前記光源装置からの光を用いて画像を表示することを特徴とするプロジェクタ。
【発明の詳細な説明】
【技術分野】
【０００１】
本発明は、光源装置及びプロジェクタ、特に、共振器を用いて光を共振させる光源装置の技術に関する。
【背景技術】
【０００２】
近年、プロジェクタの光源装置としてレーザ光源を用いる技術が提案されている。レーザ光源は、高出力化及び多色化に伴い、プロジェクタの光源として開発されている。プロジェクタの光源として従来用いられているＵＨＰランプと比較すると、レーザ光源は、高い色再現性、瞬時点灯が可能、長寿命等の利点がある。レーザ光源は、光を共振させる共振器と発光部との間で光を繰り返し反射させることで、レーザ光の波長を狭帯域化やレーザ光の高出力化を行う。
【０００３】
一般にレーザ光源に用いられる発光部は、熱によって屈折率が変化する部材が使われている。発光部の屈折率が変化することで、発光部から射出される光が集光されるサーマルレンズ効果が生じる場合がある。例えば、特許文献１には、共振器に凹面形状の凹面反射部を形成したものが開示されている。凹面反射部によって、発光部から射出される光をその集光点、すなわち焦点に向けて反射させれば、発光部からの光が拡散するのを防いで効率よく光を共振させることができる。
【０００４】
【特許文献１】特表２００３−５２６９３０号公報
【発明の開示】
【発明が解決しようとする課題】
【０００５】
従来、プロジェクタには、高輝度化が求められている。光源装置を高出力化するためには、レーザ光を射出する複数の発光部を配列させたアレイ光源を用いる場合がある。一般に、アレイ光源は、ＡｕＳｎ半田等を用いて、サブマウントに接合されている。アレイ光源及びサブマウントは、通常、異なる線膨張係数の材料で構成されている。そのため、半田接合時の温度から室温までの温度変化による収縮量がアレイ光源とサブマウントとで異なり、アレイ光源及びサブマウントの接合体は、スマイルと呼ばれる反りを生じる場合がある。接合体の反りによって、発光部から射出される光の光路は平行とならず、反りの方向によって光の射出方向は集光する方向や拡散する方向に変化する。
【０００６】
アレイ光源を用いた場合、発光部に対応させた複数の凹面反射部を共振器の反射面に対して形成し得る。この凹面反射部を発光部と同様に等間隔で形成した場合、光の射出方向が変化しているため、凹面反射部の適切な位置に光が入射しない場合がある。凹面反射部の適切な位置に光が入射しないことで、光を焦点に向けて反射させることができず、レーザ光源の光を射出する効率が低下してしまうという問題がある。
【０００７】
本発明は、上述の問題に鑑みてなされたものであり、アレイ光源を用いる場合に、高い効率で光を射出することが可能な光源装置、その光源装置を用いるプロジェクタを提供することを目的とする。
【課題を解決するための手段】
【０００８】
上述した課題を解決し、目的を達成するために、本発明に係る光源装置は、湾曲した形状の湾曲面に沿って略等間隔で配列されて光を射出する複数の発光部と、発光部から射出された光を共振させるために、発光部から射出された光を反射する複数の凹面反射部が複数の発光部に対応して形成された共振器と、を有し、発光部の配列方向において隣接する凹面反射部同士の間隔のうち少なくとも１の間隔が他の凹面反射部同士の間隔と異なることを特徴とする。
【０００９】
発光部の配列方向において隣接する凹面反射部同士の間隔のうち少なくとも１の間隔が他の凹面反射部同士の間隔と異なるので、発光部の光の射出方向に合わせた位置、すなわち共振器に対する光の入射位置に合わせた位置に凹面反射部を形成することができる。これにより、湾曲面に沿って配列された発光部からの光を凹面反射部の適切な位置に入射させて、効率のよい共振及び効率のよいレーザ発振を実現することができる。
【００１０】
また、本発明の好ましい態様としては、湾曲面は、共振器側に向けられた凹面であって、凹面反射部同士の間隔は、凹面反射部が形成された領域であって発光部の配列方向における中心から離れるにしたがって小さくなることが望ましい。
【００１１】
湾曲面が、共振器側に向けられた凹面であるので、湾曲面に沿って配列された複数の発光部から射出された光の光路同士は平行にならず、光の射出方向は、それぞれの発光部から射出された光が収束する方向となる。これにより、共振器の凹面反射部が形成された領域であって発光部の配列方向における中心から離れるにしたがって、共振器に対する光の入射位置同士の間隔が小さくなる。これに対し、凹面反射部同士の間隔も、凹面反射部が形成された領域であって発光部の配列方向における中心から離れるにしたがって小さくなるように形成されているので、凹面反射部の適切な位置に光を入射させることができる。
【００１２】
また、本発明の好ましい態様としては、湾曲面は、共振器側に向けられた凸面であって、凹面反射部同士の間隔は、凹面反射部が形成された領域であって発光部の配列方向における中心から離れるにしたがって大きくなることが望ましい。
【００１３】
湾曲面が、共振器側に向けられた凸面であるので、湾曲面に沿って配列された複数の発光部から射出された光の光路同士は平行にならず、光の射出方向は、それぞれの発光部から射出された光が拡散する方向となる。これにより、共振器の凹面反射部が形成された領域であって発光部の配列方向における中心から離れるにしたがって、共振器に対する光の入射位置同士の間隔が大きくなる。これに対し、凹面反射部同士の間隔も、凹面反射部が形成された領域であって発光部の配列方向における中心から離れるにしたがって大きくなるように形成されているので、凹面反射部の適切な位置に光を入射させることができる。
【００１４】
また、本発明の好ましい態様としては、発光部とそれに対応する凹面反射部との距離に応じて凹面反射部の曲率が異なることが望ましい。湾曲面の湾曲によって、発光部とそれに対応する凹面反射部との距離は、凹面反射部ごとにそれぞれ異なることとなる。これにより、発光部からの光がサーマルレンズ効果等により集光される場合には、発光部からの光の焦点と凹面反射部との距離も異なることとなるが、発光部とそれに対応する凹面反射部との距離に応じて凹面反射部の曲率を異ならせることで、凹面反射部に入射した光を焦点に向けて反射させることができるようになり、効率よく光を共振させることができる。
【００１５】
また、本発明の好ましい態様としては、単一の半導体素子基板で構成されたアレイ光源をさらに有し、複数の発光部は、アレイ光源に形成されていることが望ましい。単一の半導体素子基板で構成されたアレイ光源に複数の発光部が形成されているので、１つのアレイ光源をサブマウントに接合するだけで、光源装置に複数の発光部を備えさせることができる。これにより、製造工程の簡略化や、製造コストの抑制を図ることができる。また、単一の半導体素子基板をサブマウントに接合した場合には、接合体に反りが発生しやすいが、凹面反射部同士の間隔や凹面反射部の曲率をそれに応じて異ならせれば、凹面反射部の適切な位置に光を入射させて、効率よく光を共振させることができる。
【００１６】
さらに、本発明に係るプロジェクタは、上記の光源装置を有し、光源装置からの光を用いて画像を表示することを特徴とする。上記の光源装置を用いることにより、高い効率で光を射出できる。これにより、高い効率で供給された光を用いて明るい画像を表示可能な画像表示装置を得られる。
【発明を実施するための最良の形態】
【００１７】
以下に図面を参照して、本発明の実施例を詳細に説明する。
【実施例１】
【００１８】
図１は、本発明の実施例１に係る光源装置１０の概略構成を示す。光源装置１０は、複数のレーザ光を射出するレーザアレイである。光源装置１０は、半導体素子１１、サブマウント１３、共振ミラー（共振器）１５を有する。半導体素子１１は、サブマウント１３に接合されて接合体１６を構成する。なお、本願の実施例の説明において、接合体１６から共振ミラー１５に向かう軸をＺ軸とする。Ｚ軸と直交し互いに垂直に交わる軸をＸ軸及びＹ軸とする。
【００１９】
図２は、接合体１６を共振ミラー１５側から見た正面図である。半導体素子１１は、単一の半導体素子基板で構成されている。半導体素子１１は、光を射出させる複数の発光部１２が形成された面発光型のアレイ光源である。発光部１２は、半導体素子１１に二次元的に配置され、Ｘ軸方向、Ｙ軸方向それぞれにおいて略等間隔となるように配列されている。なお、後に詳説するが、半導体素子１１の発光部１２が配置された面は、湾曲した湾曲面１１ａとなる。ここで、半導体素子１１における発光部１２が形成された領域Ａ１の、Ｘ軸方向及びＹ軸方向の中心をＣ１とする。半導体素子１１には熱により光の屈折率が変化する材料が用いられており、それぞれの発光部１２からの光は焦点Ｐ１〜Ｐ５に集光する（サーマルレンズ効果）。半導体素子１１は、光を反射する不図示のミラー層を有する。
【００２０】
サブマウント１３は、半導体素子１１で発生した熱を放熱させる放熱基板である。サブマウント１３は、例えば窒化アルミニウム（ＡｌＮ）材料を用いて構成されている。半導体素子１１及びサブマウント１３は、例えば、ＡｕＳｎ半田を用いて互いに接合されている。
【００２１】
ＡｕＳｎ半田の接合時の温度は、例えば、約２８０度である。ＡｕＳｎ半田に代えて、比較的低融点である半田を用いても、半田の接合時の温度は１７０度程度となる。半導体素子１１及びサブマウント１３は、互いに異なる材料で構成されているため、半田接合時の温度から室温までの温度変化に対する収縮量が異なってくる。接合体１６には、半導体素子１１及びサブマウント１３の収縮量の差によって反り（スマイル）が生じる。これにより半導体素子１１の発光部１２が配置された面が、湾曲した湾曲面１１ａとなる。本実施例１では、半導体素子１１の収縮量がサブマウント１３の収縮量よりも大きいため、湾曲面１１ａは、共振ミラー１５側に向けられた凹面となる。
【００２２】
この反りにより発光部１２は、湾曲面１１ａに沿って配列されることとなる。発光部１２が湾曲面１１ａに沿って配列されるため、発光部１２から射出される光の光路同士は平行とならず、半導体素子１１からの光の射出方向は、半導体素子１１からＺ軸方向に離れるにしたがって収束する方向となる。
【００２３】
図３は、共振ミラー１５を接合体１６側から見た正面図である。共振ミラー１５は光を反射する反射面１５ａを備える。共振ミラー１５は、発光部１２から射出されて反射面１５ａに入射した光を反射して光を共振させるとともに、入射した光の一部を透過させてレーザ発振させる外部共振器として機能する。
【００２４】
反射面１５ａには、発光部１２から射出された光が入射する位置に対応して、凹面形状の反射部（凹面反射部）１５ｂが複数形成されている。反射部１５ｂは、正面視において略円形形状を呈するようになっている。ここで、共振ミラー１５における反射部１５ｂが形成された領域Ａ２の、Ｘ軸方向及びＹ軸方向の中心をＣ２とする。反射部１５ｂは、発光部１２から射出された光を焦点Ｐ１〜Ｐ５に向けて反射するために、曲率を持った凹面形状とされている。ここで、接合体１６の反りにより、発光部１２とそれに対応する反射部１５ｂとの距離Ｄ１〜Ｄ５がそれぞれ異なる。すなわち、中心Ｃ１に形成された発光部１２とそれに対応する反射部１５ｂとの距離Ｄ３よりも、端部側に形成された発光部１２とそれに対応する反射部１５ｂとの距離Ｄ１や距離Ｄ５の方が小さくなる。
【００２５】
発光部１２から焦点Ｐ１〜Ｐ５までの距離が一定である場合には、反射部１５ｂと焦点Ｐ１〜Ｐ５との距離ｄ１〜ｄ５が異なることとなる。そこで、反射部１５ｂは、発光部１２と反射部１５ｄとの距離Ｄ１〜Ｄ５、換言すれば、焦点Ｐ１〜Ｐ５と反射部１５ｂとの距離ｄ１〜ｄ５に応じて曲率が異なるように形成されて、反射部１５ｂに入射した光を確実に焦点Ｐ１〜Ｐ５に向けて反射するようにされている。これにより、発光部１２から射出された光が、反射部１５ｂによって焦点Ｐに向けて反射されるので、効率よく光を共振させることができる。例えば、焦点に近い反射部ほど曲率が小さく形成される。
【００２６】
また、半導体素子１１からの光の射出方向が収束する方向となっているので、反射面１５ａへの光の入射位置同士のＸ軸方向における間隔は、中心Ｃ２からＸ軸方向に離れるほど小さくなる。それに合わせて、Ｘ軸方向に隣接する反射部１５ｂ同士の間隔Ｌ１，Ｌ２も、中心Ｃ２からＸ軸方向に離れるほど小さくなるように形成されている。本実施例１では、間隔Ｌ１，Ｌ２の関係がＬ１＞Ｌ２となる。これにより、接合体１６の反りによって複数の発光部１２から射出される光の光路同士が平行とならない場合であっても、反射部１５ｂの適切な位置に光を入射させて、焦点Ｐに向けた反射による効率的な光の共振を実現することができる。なお、反射部１５ｂ同士の間隔とは、正面視において略円形状を呈する反射部１５ｂの中心同士の距離をいう。
【００２７】
ここまで、接合体１６のＸ軸方向における反りに対応するための反射部１５ｂ同士の間隔や反射部１５ｂの曲率について説明してきたが、接合体１６には、Ｙ軸方向における反りも生じうる。この場合であっても、Ｙ軸方向について中心Ｃ２から離れるほど反射部１５ｂ同士の間隔を小さくしたり、反射部１５ｂの曲率を異ならせたりすることで、効率的な光の共振を実現することができる。
【００２８】
なお、半導体素子１１は、図示する数の発光部１２を備える構成に限られず、複数の発光部１２を備えていればよい。また、例えば、図示するよりも多数の発光部１２を配列させた場合に、すべての反射部１５ｂ同士の間隔を中心Ｃ１から離れるほど小さくする必要はなく、発光部１２からの光の光路同士が平行とならないことにより、適切な位置に光を入射させることができない反射部１５ｂの間隔だけを他の間隔と異ならせてもよい。また、本実施例１では、発光部１２の配置は、Ｘ軸方向及びＹ軸方向に配列され二次元的な配置とされているが、Ｘ軸方向又はＹ軸方向のいずれか一方にのみ配列された一次元的な配置とされていてもよい。
【００２９】
また、発光部１２からの光を集光させるサーマルレンズ効果の程度は、発光部１２の温度によって異なる場合がある。すなわち、発光部１２の温度によって発光部１２から焦点までの距離が異なる場合がある。一般的に、発光部１２の温度は、中心Ｃ１の近くに形成された発光部１２ほど高くなる。したがって、反射部１５ｂの曲率を発光部の温度に応じて異ならせて、確実に焦点に反射させるようにしてもよい。
【実施例２】
【００３０】
図４は、本発明の実施例２に係る光源装置２０の概略構成を示す。本実施例２の光源装置２０は、第二高調波発生（Second−Harmonic  Generation；ＳＨＧ）素子３４、バンドパスフィルタ３５、ダイクロイックミラー３６を有する。上記実施例と同一の部分には同一の符号を付し、重複する説明を省略する。
【００３１】
ＳＨＧ素子３４は、発光部１２からの第１波長の基本波光を入射させることにより、第２波長の高調波光を射出させる。ＳＨＧ素子３４は、発光部１２からの光の波長を変換する波長変換素子である。例えば、基本波光の波長が１０６４ｎｍであれば、５３２ｎｍの波長の高調波光に変換する。
【００３２】
バンドパスフィルタ３５は、第１波長の光を選択的に透過させる波長選択部である。ダイクロイックミラー３６は、第１波長の光の一方向の偏光を優先的に透過する特性を持ち、第２波長の半分の光は反射する特性を持つ。ＳＨＧ素子３４、バンドパスフィルタ３５及びダイクロイックミラー３６は、半導体素子１１及び共振ミラー１５の間の光路中に設けられている。
【００３３】
以上説明した構成により、本実施例２に係る光源装置２０は、発光部１２から射出される第１波長の基本波光を第２波長の高調波光に変換して効率よくレーザ発振させることができる。
【実施例３】
【００３４】
図５は、本発明の実施例３に係る光源装置４０の概略構成を示す。上記実施例と同一の部分には同一の符号を付し、重複する説明を省略する。実施例２の光源装置４０は、サブマウント１３の材料として、その収縮量が半導体素子１１の収縮量よりも大きい材料を用いている。これにより、半導体素子１１の湾曲面１１ａが共振ミラー１５側に向けられた凸面となるように接合体１６に反りが生じる。
【００３５】
実施例１と同様に発光部１２が湾曲面１１ａに沿って配列されるが、湾曲面１１ａの湾曲方向が逆となるので、半導体素子１１からの光の射出方向は、半導体素子１１からＺ軸方向に離れるにしたがって拡散する方向となる。
【００３６】
反射部１５ｂは、実施例１と同様に、発光部１２から射出された光を焦点Ｐ１〜Ｐ５に向けて反射するために曲率を持った凹面形状とされている。なお、本実施例２では、湾曲面１１ａの湾曲方向が実施例１とは逆となるため、中心Ｃ１に形成された発光部１２とそれに対応する反射部１５ｂとの距離Ｄ３よりも、端部側に形成された発光部１２とそれに対応する反射部１５ｂとの距離Ｄ１や距離Ｄ５の方が大きくなっている。
【００３７】
本実施例２における反射部１５ｂも実施例１と同様に、発光部１２と反射部１５ｄとの距離Ｄ１〜Ｄ５、換言すれば、焦点Ｐ１〜Ｐ５と反射部１５ｂとの距離ｄ１〜ｄ５に応じて曲率が異なるように形成されて、反射部１５ｂに入射した光を確実に焦点Ｐ１〜Ｐ５に向けて反射するようにされている。これにより、発光部１２から射出された光が、反射部１５ｂによって焦点Ｐに向けて反射されて、効率よく光を共振させることができる。
【００３８】
また、発光部１２からの光の射出方向は拡散する方向になっているので、反射面１５ａへの光の入射位置同士のＸ軸方向における間隔は、中心Ｃ２からＸ軸方向に離れるほど大きくなる。それに合わせて、Ｘ軸方向に隣接する反射面１５ａに形成された反射部１５ｂ同士の間隔Ｌ１，Ｌ２が、中心Ｃ２からＸ軸方向に離れるほど大きくなるように形成されている。本実施例では、間隔Ｌ１，Ｌ２の関係がＬ１＜Ｌ２となる。これにより、反射部１５ｂの適切な位置に光を入射させて、焦点Ｐに向けた反射による効率的な光の共振を実現することができる。
【実施例４】
【００３９】
図６は、本発明の実施例４に係るプロジェクタ５０の概略構成を示す。プロジェクタ５０は、スクリーン５９に光を供給し、スクリーン５９で反射する光を観察することで画像を鑑賞するフロント投写型のプロジェクタである。プロジェクタ５０は、赤色（Ｒ）光用光源装置５１Ｒ、緑色（Ｇ）光用光源装置５１Ｇ、青色（Ｂ）光用光源装置５１Ｂを有する。各色光用光源装置５１Ｒ、５１Ｇ、５１Ｂは、いずれも上記実施例２の光源装置と同様の構成を有する。プロジェクタ５０は、各色光用光源装置５１Ｒ、５１Ｇ、５１Ｂからの光を用いて画像を表示する画像表示装置である。
【００４０】
Ｒ光用光源装置５１Ｒは、Ｒ光を供給する光源装置である。拡散素子５２は、照明領域の整形、拡大、照明領域における光量分布の均一化を行う。拡散素子５２としては、例えば、回折光学素子である計算機合成ホログラム（Computer  Generated  Hologram；ＣＧＨ）を用いることができる。フィールドレンズ５３は、Ｒ光用光源装置５１Ｒからの光を平行化させ、Ｒ光用空間光変調装置５４Ｒへ入射させる。Ｒ光用光源装置５１Ｒ、拡散素子５２、及びフィールドレンズ５３は、Ｒ光用空間光変調装置５４Ｒを照明する照明装置を構成する。Ｒ光用空間光変調装置５４Ｒは、照明装置からのＲ光を画像信号に応じて変調する空間光変調装置であって、透過型液晶表示装置である。Ｒ光用空間光変調装置５４Ｒで変調されたＲ光は、色合成光学系であるクロスダイクロイックプリズム５５へ入射する。
【００４１】
Ｇ光用光源装置５１Ｇは、Ｇ光を供給する光源装置である。拡散素子５２及びフィールドレンズ５３を経た光は、Ｇ光用空間光変調装置５４Ｇへ入射する。Ｇ光用光源装置５１Ｇ、拡散素子５２、及びフィールドレンズ５３は、Ｇ光用空間光変調装置５４Ｇを照明する照明装置を構成する。Ｇ光用空間光変調装置５４Ｇは、照明装置からのＧ光を画像信号に応じて変調する空間光変調装置であって、透過型液晶表示装置である。Ｇ光用空間光変調装置５４Ｇで変調されたＧ光は、クロスダイクロイックプリズム５５のうちＲ光が入射する面とは異なる面へ入射する。
【００４２】
Ｂ光用光源装置５１Ｂは、Ｂ光を供給する光源装置である。拡散素子５２及びフィールドレンズ５３を経た光は、Ｂ光用空間光変調装置５４Ｂへ入射する。Ｂ光用光源装置５１Ｂ、拡散素子５２、及びフィールドレンズ５３は、Ｂ光用空間光変調装置５４Ｂを照明する照明装置を構成する。Ｂ光用空間光変調装置５４Ｂは、照明装置からのＢ光を画像信号に応じて変調する空間光変調装置であって、透過型液晶表示装置である。Ｂ光用空間光変調装置５４Ｂで変調されたＢ光は、クロスダイクロイックプリズム５５のうちＲ光が入射する面、及びＧ光が入射する面とは異なる面へ入射する。透過型液晶表示装置としては、例えば高温ポリシリコンＴＦＴ液晶パネル（High  Temperature  Polysilicon；ＨＴＰＳ）を用いることができる。
【００４３】
クロスダイクロイックプリズム５５は、互いに略直交させて配置された２つのダイクロイック膜５６、５７を有する。第１ダイクロイック膜５６は、Ｒ光を反射し、Ｇ光及びＢ光を透過させる。第２ダイクロイック膜５７は、Ｂ光を反射し、Ｒ光及びＧ光を透過させる。クロスダイクロイックプリズム５５は、それぞれ異なる方向から入射したＲ光、Ｇ光及びＢ光を合成し、投写レンズ５８の方向へ射出する。投写レンズ５８は、クロスダイクロイックプリズム５５で合成された光をスクリーン５９に向けて投写する。
【００４４】
上記の光源装置５０と同様の構成を有する各色光用光源装置５１Ｒ、５１Ｇ、５１Ｂを用いることにより、高い効率で光を射出できる。これにより、明るく、かつ高品質な画像を表示できるという効果を奏する。なお、各色光用光源装置５１Ｒ、５１Ｇ、５１Ｂは、上記各実施例で説明するいずれの光源装置を適用してもよい。プロジェクタ５０は、例えば、Ｒ光用光源装置５１ＲはＳＨＧ素子を用いずアレイ光源からの基本波光をそのまま射出するものとし、Ｇ光用光源装置５１Ｇ及びＢ光用光源装置５１ＢはＳＨＧ素子により波長変換された高調波光を射出する構成としてもよい。
【００４５】
プロジェクタは、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いてもよい。プロジェクタは、色光ごとに空間光変調装置を備える構成に限られない。プロジェクタは、一の空間光変調装置により２つ又は３つ以上の色光を変調する構成としてもよい。プロジェクタは、空間光変調装置を用いる場合に限られない。プロジェクタは、ガルバノミラー等の走査手段により光源装置からのレーザ光を走査させ、被照射面において画像を表示するレーザスキャン型のプロジェクタであってもよい。プロジェクタは、画像情報を持たせたスライドを用いるスライドプロジェクタであってもよい。プロジェクタは、スクリーンの一方の面に光を供給し、スクリーンの他方の面から射出される光を観察することで画像を鑑賞する、いわゆるリアプロジェクタであってもよい。
【００４６】
本発明の光源装置は、画像表示装置である液晶ディスプレイに適用してもよい。本発明の光源装置と導光板を組み合わせることにより、液晶パネルを照明する照明装置として用いることができる。この場合も、明るい画像を表示することができる。本発明の光源装置は、プロジェクタに適用される場合に限られない。本発明の光源装置は、例えば、レーザ光を用いた露光のための露光装置やレーザ加工装置等の光学系に用いてもよい。
【産業上の利用可能性】
【００４７】
以上のように、本発明に係る光源装置は、プロジェクタに用いる場合に適している。
【図面の簡単な説明】
【００４８】
【図１】本発明の実施例１に係る光源装置の概略構成を示す図。
【図２】接合体を共振ミラー側から見た正面図。
【図３】共振ミラーを接合体側から見た正面図。
【図４】本発明の実施例２に係る光源装置の概略構成を示す図。
【図５】本発明の実施例３に係る光源装置の概略構成を示す図。
【図６】本発明の実施例４に係るプロジェクタの概略構成を示す図。
【符号の説明】
【００４９】
Ａ１，Ａ２  領域、Ｃ１，Ｃ２  中心、Ｄ１〜Ｄ５，ｄ１〜ｄ５  距離、Ｌ１，Ｌ２  間隔、Ｐ  焦点、１０，２０，４０  光源装置、１１  半導体素子（アレイ光源）、１１ａ  湾曲面、１２  発光部、１３  サブマウント、１５  共振ミラー（共振器）、１５ａ  反射面、１５ｂ  反射部（凹面反射部）、１６  接合体、３４  ＳＨＧ素子（波長変換素子）、３５  バンドパスフィルタ、３６  ダイクロイックミラー、５０  プロジェクタ、５１Ｒ  Ｒ光用光源装置、５１Ｇ  Ｇ光用光源装置、５１Ｂ  Ｂ光用光源装置、５２  拡散素子、５３  フィールドレンズ、５４Ｒ  Ｒ光用空間光変調装置、５４Ｇ  Ｇ光用空間光変調装置、５４Ｂ  Ｂ光用空間光変調装置、５５  クロスダイクロイックプリズム、５６  第１ダイクロイック膜、５７  第２ダイクロイック膜、５８  投写レンズ、５９  スクリーン
【図１】
2010067465.tif 000003
【図２】
2010067465.tif 000004
【図３】
2010067465.tif 000005
【図４】
2010067465.tif 000006
【図５】
2010067465.tif 000007
【図６】
2010067465.tif 000008